(57)【特許請求の範囲】
【請求項１】
壁に埋め込まれるように配される映像表示機器の表面側を覆うように配されるカバー本体と、このカバー本体の上端部の表面側縁部を覆うように該カバー本体の上端部を受け入れる係合凹溝が設けられ、かつ壁側に設けられた受具に引っ掛けられる引掛部を有した上端保持部材と、を備えており、
前記受具には、前記引掛部が該受具に引っ掛けられた状態で、前記上端保持部材の上方側への移動を規制し、前記係合凹溝からの前記カバー本体の上端部の脱離を抑止するストッパー部が設けられていることを特徴とするカバー装置。
【請求項２】
請求項１において、
前記受具は、前記映像表示機器を受け入れる開口の壁幅方向に沿う方向に向く内側面から壁幅方向に突出するように配され、前記引掛部が引っ掛けられる受部を備えており、
前記上端保持部材は、前記カバー本体の壁幅方向に沿う方向の端部の背面から前記カバー本体の厚さ方向に突出するように設けられ、かつ前記ストッパー部に規制されるベース部を備え、このベース部に対して壁幅方向に沿う軸廻りに回転自在に前記引掛部を保持させた構造とされていることを特徴とするカバー装置。
【請求項３】
請求項２において、
前記受具のストッパー部は、壁幅方向に突出するように、かつ前記ベース部の上方に向く被規制面に近接して対面するように配されることを特徴とするカバー装置。
【請求項４】
請求項３において、
前記ベース部には、前記引掛部が前記受部に引っ掛けられた状態で前記ストッパー部を受け入れるように屈曲状とされ、前記被規制面を有した屈曲状片部と、該屈曲状片部よりも当該ベース部の突出方向先端側に位置するように、かつ前記ストッパー部に仮保持される仮保持片部と、が設けられていることを特徴とするカバー装置。
【請求項５】
請求項１乃至４のいずれか１項に記載のカバー装置と、前記映像表示機器を受け入れる開口を区画し、壁に埋め込まれるように壁下地に固定される枠部材と、この枠部材に設けられ、前記映像表示機器を保持する機器保持部材と、を備えていることを特徴とする映像表示機器取付装置。
【発明の詳細な説明】
【技術分野】
【０００１】
本発明は、映像表示機器の表面側を覆うように配されるカバー装置及びこれを備えた映像表示機器取付装置に関する。
【背景技術】
【０００２】
近年、テレビジョン受像機等の映像表示機器は、その薄型化に伴い、載置台等に置き設置される態様に代えて、壁に設置される設置態様が採用される場合がある。このような映像表示機器を壁に付設状に設置した場合には、圧迫感が生じるという問題があった。
例えば、下記特許文献１には、一対の柱状部材間に板状の保持部材を接続し、この保持部材に表示装置を嵌め込む開口部を設けた壁下地構造の前側を開閉可能に覆う下地ボードを設けた建築用壁材が開示されている。また、この建築用壁材は、下地ボードにおける表示装置の前方部位に、透明な窓部を設けた構成とされている。
【先行技術文献】
【特許文献】
【０００３】
【特許文献１】特開２００８−２０８７０６号公報
【発明の概要】
【発明が解決しようとする課題】
【０００４】
しかしながら、上記特許文献１に記載された建築用壁材では、表示装置の大型化に伴って窓部が大判化することが考えられ、このような窓部を、下地ボードに対して安定的に保持させるには、更なる改善が望まれる。
【０００５】
本発明は、上記実情に鑑みてなされたものであり、壁に埋込状に配される映像表示機器の表面側を見栄え良く覆いながらも、カバー本体を安定的に保持し得るカバー装置及びこれを備えた映像表示機器取付装置を提供することを目的としている。
【課題を解決するための手段】
【０００６】
上記目的を達成するために、本発明に係るカバー装置は、壁に埋め込まれるように配される映像表示機器の表面側を覆うように配されるカバー本体と、このカバー本体の上端部の表面側縁部を覆うように該カバー本体の上端部を受け入れる係合凹溝が設けられ、かつ壁側に設けられた受具に引っ掛けられる引掛部を有した上端保持部材と、を備えており、前記受具には、前記引掛部が該受具に引っ掛けられた状態で、前記上端保持部材の上方側への移動を規制し、前記係合凹溝からの前記カバー本体の上端部の脱離を抑止するストッパー部が設けられていることを特徴とする。
【０００７】
また、上記目的を達成するために、本発明に係る映像表示機器取付装置は、本発明に係るカバー装置と、前記映像表示機器を受け入れる開口を区画し、壁に埋め込まれるように壁下地に固定される枠部材と、この枠部材に設けられ、前記映像表示機器を保持する機器保持部材と、を備えていることを特徴とする。
【発明の効果】
【０００８】
本発明に係るカバー装置及びこれを備えた映像表示機器取付装置は、上述のような構成としたことで、壁に埋込状に配される映像表示機器の表面側を見栄え良く覆いながらも、カバー本体を安定的に保持することができる。
【図面の簡単な説明】
【０００９】
【図１】本発明の一実施形態に係るカバー装置及びこれを備えた映像表示機器取付装置の一例を模式的に示し、図２（ｂ）におけるＸ−Ｘ線矢視に対応させた一部破断概略縦断面図である。
【図２】（ａ）は、同映像表示機器取付装置の施工手順の一例を模式的に示す一部破断概略正面図、（ｂ）は、同映像表示機器取付装置を施工した状態を模式的に示す一部を省略した一部破断概略正面図である。
【図３】（ａ）は、一部破断概略斜視図、（ｂ）は、図１に対応させた一部を省略した一部破断概略縦断面図である。
【図４】（ａ）、（ｂ）は、図１に対応させた一部を省略した一部破断概略縦断面図である。
【図５】本発明の他の実施形態に係るカバー装置及びこれを備えた映像表示機器取付装置の一例を模式的に示し、図１に対応させた一部破断概略縦断面図である。
【図６】（ａ）は、一部破断概略斜視図、（ｂ）は、図５に対応させた一部を省略した一部破断概略縦断面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、設置された映像表示機器取付装置に取り付けられた映像表示機器に対面した状態を基準として、手前側を壁厚方向一方側、その逆側を壁厚方向他方側とし、また、その状態を基準として、上下方向等の方向を説明する。
【００１１】
図１〜図４は、第１実施形態に係るカバー装置及びこれを備えた映像表示機器取付装置の一例を模式的に示す図である。
本実施形態に係るカバー装置３０は、図１に示すように、壁に埋め込まれるように配される映像表示機器９の表面側を覆うように配されるカバー本体３１を備えている。また、カバー装置３０は、壁側に設けられる下端受具２２に保持される下端保持部材３４と、壁側に設けられる受具（上端受具）２４に保持される上端保持部材４０と、を備えている。
本実施形態に係る映像表示機器取付装置１は、このカバー装置３０と、映像表示機器９を受け入れる開口１１を区画し、壁に埋め込まれるように壁下地２，３に固定される枠部材１０と、を備えている。また、映像表示機器取付装置１は、この枠部材１０に設けられ、映像表示機器９を保持する機器保持部材２０，２１を備えている。なお、下端受具２２及び上端受具２４は、映像表示機器取付装置１が備えたものとしてもよく、カバー装置３０が備えたものとしてもよい。
【００１２】
枠部材１０が固定される壁下地２，３は、間仕切壁の下地を構成し、図１及び図２（ａ）に示すように、枠部材１０が嵌め込まれる開口部を形成するように設けられている。
図例では、枠部材１０の壁幅方向両側が固定される一対の縦桟２，２と、これら一対の縦桟２，２間に配され、少なくとも壁厚方向一方側に向けて開口するように枠部材１０を受け入れる凹所を区画する中間縦桟４と、を設けた壁下地構造としている。また、枠部材１０の上下両側が固定される一対の横桟３，３を、一対の縦桟２，２間に架け渡すように中間縦桟４に設けられた凹所の上下両側の内側面のそれぞれに固定した構造としている。つまり、枠部材１０が嵌め込まれる開口部を、一対の縦桟２，２及び一対の横桟３，３によって区画した構造としている。
【００１３】
一対の縦桟２，２は、少なくとも壁厚方向一方側面に、壁厚方向一方側に配される壁下地ボード５が固定される構成とされ、壁厚方向一方側の間仕切壁下地を構成する。なお、これら一対の縦桟２，２を、壁厚方向両側の間仕切壁下地を構成するものとしてもよい。
一対の横桟３，３は、壁厚方向一方側面が、一対の縦桟２，２の壁厚方向一方側面と同一平面状となるように設けられている。
中間縦桟４は、長手方向途中部位に、壁厚方向一方側に向けて開口し、側面視略矩形状の凹所を区画するように設けられている。この中間縦桟４は、凹所が設けられた部位を除いた部位（凹所の上下両側部位）の壁厚方向両側面に壁厚方向両側の壁下地ボード５，７がそれぞれに固定される構成とされ、壁厚方向両側の間仕切壁下地を構成する。図例では、中間縦桟４を、壁厚方向他方側の壁下地及び凹所の壁厚方向一方側に向く凹所底面を構成するように設けられた奥側中間縦桟４ａの壁厚方向一方側に、凹所を形成するように上下に分断された手前側中間縦桟４ｂ，４ｂを設けた構成とした例を示している。また、図例では、上記した各桟２，３，４を、長手方向に見て略Ｃ字状とされた鋼製下地（スタッド、ランナー）とした例を示している。なお、これら桟２，３，４は、金属系材料から形成されたものに限られず、木質系材料や合成樹脂系材料から形成されたものとしてもよい。また、枠部材１０が固定される壁下地２，３としては、上記のような態様に限られず、その他、種々の変形が可能である。
【００１４】
また、壁下地ボード５，７としては、一般的な壁下地ボードとしてもよく、例えば、石膏ボード（プラスターボード）やロックウールボード等の内装下地ボードとしてもよい。
また、映像表示機器９は、一般的なテレビジョン受像機や映像再生機器等としてもよく、その他、各種情報機器のディスプレイ（モニター）等としてもよい。また、映像表示機器９としては、液晶ディスプレイやプラズマディスプレイ、有機ＥＬディスプレイ等の薄型パネル状のディスプレイとしてもよい。このような映像表示機器９としては、画面サイズや外周寸法（縦寸法及び横寸法）が数種類に規格化されたものとしてもよい。
この映像表示機器９の背面側には、後記する機器保持部材２０，２１に保持される柱状体１９の固定部が設けられている。
【００１５】
枠部材１０は、図１及び図２（ａ）に示すように、壁幅方向両側の縦枠部１７，１７と上下両側の横枠部１８，１８とを備え、壁厚方向に見て、略矩形枠状とされている。つまり、枠部材１０は、上下方向に向く面と壁幅方向に向く面とからなる四周の内周面によって開口１１を区画し、その内周面に、後記する機器保持部材２０，２１や下端受具２２、上端受具２４が固定される構成とされている。この枠部材１０の開口１１の上下寸法及び壁幅方向に沿う寸法は、映像表示機器９の上下寸法及び壁幅方向に沿う寸法や、内周面に固定される機器保持部材２０，２１や下端受具２２、上端受具２４の態様等に応じて、適宜、設定するようにしてもよい。
【００１６】
本実施形態では、この枠部材１０の内周表面側縁部に、後記するカバー装置３０のカバー本体３１の四周端部を受け入れる凹段部１２を全周に亘って設けている。この凹段部１２は、壁厚方向一方側及び開口１１の中心側（各枠部（縦枠部１７及び横枠部１８）の厚さ方向内方（開口１１）側）に向けて開口するように、枠部材１０の内周表面側縁部に切欠状に設けられている。つまり、凹段部１２は、壁厚方向一方側に向く段底面１３と開口１１の中心側に向く段壁面１５とによって区画されている。
この凹段部１２の段壁面１５の幅寸法（壁厚方向に沿う寸法）及び段底面１３の幅寸法（縦枠部１７及び横枠部１８の厚さ方向に沿う寸法）は、カバー本体３１の四周端部の受け入れが可能なように、また、見栄え上の観点等から適宜の寸法としてもよい。また、段壁面１５の内周寸法（壁幅方向に向く両内側面間の寸法及び上下方向に向く両内側面間の寸法）は、段壁面１５に対向して配されるカバー本体３１の四周端面との間に適宜のクリアランス（隙間）が形成されるように適宜の寸法としてもよい。このクリアランスは、見栄え上の観点や、後記するようにカバー本体３１を取り付ける際におけるカバー本体３１と開口１１の開口周縁との接触を抑制する観点、開口１１の開口周縁の加工誤差等を考慮して適宜、設定するようにしてもよい。
また、図例では、この枠部材１０を囲むように配される壁下地ボード５の表面５ａと枠部材１０の表面１６ａとが同一平面状となるように枠部材１０を設け、これら枠部材１０及び壁下地ボード５の表面１６ａ，５ａに表面化粧材６を貼着した例を示している。また、図例では、枠部材１０の凹段部１２の段壁面１５及び段底面１３にも一連状に表面化粧材６を貼着した例を示している。
【００１７】
また、本実施形態では、枠部材１０の外周縁部に、壁下地２，３に設けられた開口部に嵌め込まれる際に壁下地２，３の壁厚方向一方側に向く面としての表面に当接される鍔状部１６を設けている。この鍔状部１６は、枠部材１０の外周縁部に全周に亘って設けられ、枠部材１０の外周縁部から各枠部１７，１８の厚さ方向外方（反開口）側に向けて突出するように設けられている。この鍔状部１６の突出方向先端面に、枠部材１０を囲むように配される壁下地ボード５の端面が突き合わせられる構成とされている。
また、図例では、枠部材１０を、鍔状部１６を構成するＬ字状とされた額縁状部材と枠部材１０の内周面を構成する枠部材本体とを備えた構成とし、枠部材本体の外周表面側縁部に額縁状部材の一片部を差し入れる切欠状の凹所を設けた構成とした例を示している。また、図例では、枠部材本体の壁厚方向一方側端面が凹段部１２の段底面１３を構成し、額縁状部材の内周面が凹段部１２の段壁面１５を構成するように、これらを設けた例を示している。
【００１８】
また、図例では、枠部材１０の壁厚方向に沿う寸法を、枠部材１０の壁厚方向他方側端面と中間縦桟４の凹所底面との間に隙間が形成されるような寸法とした例を示している。なお、このような態様に代えて、例えば、枠部材１０の壁厚方向に沿う寸法を、枠部材１０の壁厚方向他方側端面が中間縦桟４の凹所底面に当接または近接するような寸法としてもよい。また、映像表示機器９を受け入れる開口１１を区画する枠部材１０としては、その他、種々の変形が可能である。
また、枠部材１０は、木質系材料から形成されたものとしてもよく、または、合成樹脂系材料や金属系材料から形成されたものとしてもよい。また、上記した各桟２，３，４や枠部材１０は、映像表示機器９の外周寸法等に応じて、予め寸法調整がなされているものとしてもよく、または、適宜、施工現場等において長さ調整等がなされるものとしてもよい。
【００１９】
機器保持部材２０，２１は、映像表示機器９の背面側に取り付けられる柱状体１９を保持する構成とされている。本実施形態では、機器保持部材２０，２１を、枠部材１０の上下の内周面に固定される上側機器保持部材２０と下側機器保持部材２１とし、上下に長尺な柱状体１９の上下両端部を保持する構成としている。なお、これら上下の機器保持部材２０，２１及び柱状体１９を、下側機器保持部材２１に対して柱状体１９の下端部が壁幅方向に沿う軸廻りに回転自在にかつ着脱自在に保持される一方、上側機器保持部材２０に対して柱状体１９の上端部が保持される構造としてもよい。図例では、映像表示機器９の背面側に、壁幅方向に間隔を空けて複数本（図例では、２本）の柱状体１９，１９を取り付けた例を示している（図２（ａ）参照）。また、図例では、上側機器保持部材２０を、枠部材１０の下方側に向く内周面（上側の横枠部１８の下面）に固定し、下側機器保持部材２１を、枠部材１０の上方側に向く内周面（下側の横枠部１８の上面）に固定した例を示している。これら上下の機器保持部材２０，２１を、これらに対する柱状体１９の壁厚方向及び壁幅方向のうちの両方または一方への位置調整を可能とした構成としてもよい。なお、映像表示機器９を保持する機器保持部材２０，２１としては、このような態様に限られず、その他、種々の変形が可能である。
【００２０】
カバー本体３１は、少なくとも映像表示機器９の映像表示面に応じた部位が透明とされ、厚さ方向を壁厚方向に沿わせて配される略矩形平板状とされている。また、カバー本体３１は、壁幅方向及び上下方向に沿う寸法が、映像表示機器９の壁幅方向及び上下方向に沿う寸法よりも大きい寸法とされている。このカバー本体３１の壁幅方向及び上下方向に沿う寸法は、後記する上下の保持部材４０，３４が取り付けられた状態におけるカバー本体３１の四周端面が枠部材１０の凹段部１２の四周の段壁面１５に上記したクリアランスを隔てて対面するように適宜の寸法とされている。
また、本実施形態では、図２（ｂ）に示すように、カバー本体３１の四周端部に、不透明部３３を設けている。つまり、カバー本体３１の四周端部に沿って四周枠状に不透明部３３を設け、その内側を透明部３２としている。このカバー本体３１の透明部３２の壁幅方向及び上下方向に沿う寸法、並びに不透明部３３の幅寸法（枠部材１０の各枠部１７，１８の厚さ方向に沿う寸法）は、透明部３２を介して映像表示機器９の映像表示面が視認可能なように適宜の寸法としてもよい。図例では、不透明部３３の幅寸法を、映像表示機器９の四周端部と枠部材１０の内周面との隙間を遮蔽するように、凹段部１２の段底面１３の幅寸法よりも大きい寸法とした例を示している。
【００２１】
このカバー本体３１の少なくとも透明部３２は、アクリル樹脂やポリカーボネート樹脂等の透明の合成樹脂系材料や、透明のガラス材料等の透明材料から形成されたものとしてもよい。また、このカバー本体３１は、このような透明材料の四周端部に、不透明なシートを貼着したり、着色やエッチング等の表面処理を施したりすることで、不透明部３３を設けた構成とされたものとしてもよい。または、透明材料からなる透明部３２の四周に、額縁状に不透明材料から形成された不透明部３３を固定した構成とされたもの等としてもよい。また、このカバー本体３１の少なくとも透明部３２の厚さ方向一方面（例えば、壁厚方向一方側に向く表面）または両面を、反射防止フィルム（シート）の貼着や反射防止コーティング等の反射防止処理が施されたものとしてもよい。
【００２２】
また、本実施形態では、カバー本体３１を、図１及び図４に示すように、下端側が壁幅方向に沿う軸３７ａ廻りに回転自在に下端受具２２に保持され、上端保持部材４０が上端受具２４に着脱自在に保持される構成としている。
上下の保持部材４０，３４は、カバー本体３１の上端部及び下端部の背面に沿うように帯板状に設けられており、本実施形態では、カバー本体３１の壁幅方向に沿う方向の概ね全体に亘って設けられている。
また、これら上端保持部材４０の上端部及び下端保持部材３４の下端部には、カバー本体３１の上下端部の表面側縁部を覆うように上下端部を受け入れる上下の係合凹溝４２，３５が設けられている。これら上下の係合凹溝４２，３５は、上端保持部材４０の上端部及び下端保持部材３４の下端部のそれぞれに、カバー本体３１の厚さ方向一方側に突出し、互いに向き合う方向に突出するように形成された鉤状片部４３，３６によって区画されている。また、これら上下の係合凹溝４２，３５は、互いに向き合う方向となる上下方向に沿って開口するように、かつ上端保持部材４０及び下端保持部材３４のそれぞれの全長に亘って設けられている。
【００２３】
また、本実施形態では、これら上端保持部材４０及び下端保持部材３４の各鉤状片部４３，３６におけるカバー本体３１の上下端部の表面側縁部を覆う覆い片部４３ａ，３６ａの上下寸法（幅寸法）Ｄ１を、互いに同寸法としている。これら覆い片部４３ａ，３６ａの上下寸法Ｄ１は、見栄え上の観点や、カバー本体３１の上下端部を安定的に保持する観点等から適宜の寸法としてもよい。例えば、これら覆い片部４３ａ，３６ａの上下寸法Ｄ１を、２ｍｍ〜２０ｍｍ程度としてもよく、好ましくは、３ｍｍ〜１０ｍｍ程度としてもよい。
また、これら上端保持部材４０及び下端保持部材３４におけるカバー本体３１の背面に沿う背面側部位の上下寸法（幅寸法）を、上記したカバー本体３１の不透明部３３の幅寸法よりも小さい寸法としてもよい。また、これら上下の保持部材４０，３４の背面側部位とカバー本体３１の上下端部の背面との間に、適宜、滑り止めシートや緩衝シート等を介在させた態様としてもよい。また、これら上下の保持部材４０，３４は、カバー本体３１の上下端部に接着剤等によって固定されるものとしてもよく、カバー本体３１の上下端部が圧入されてカバー本体３１に固定されるものとしてもよい。
【００２４】
また、これら上下の保持部材４０，３４には、上下の受具２４，２２に引っ掛けられる引掛部４７，３７が設けられている。なお、上端保持部材４０の引掛部４７を含む具体的構成については後述する。
下端保持部材３４の引掛部３７は、カバー本体３１の下端側の背面側に位置するように設けられている。
本実施形態では、引掛部３７を、下端保持部材３４の背面側部位から背面側に向けて突出し、下方に垂れ下がるように設けられたフック状片部とし、その下端部に、概ね壁幅方向に沿う軸としての係合軸状部３７ａを設けた構成としている。この引掛部３７は、下端の係合軸状部３７ａが下端保持部材３４の下端部よりも上側に位置するように設けられている。なお、この引掛部３７は、下端保持部材３４に一体的に設けられたものとしてもよく、下端保持部材３４に固定される別部材とされたものとしてもよい。また、引掛部３７の係合軸状部３７ａとしては、周方向の一部がフック状片部の下端部に連なるように設けられたものに限られず、軸方向両端が適宜の連結部等によって引掛部３７に連結保持されたような態様等としてもよい。
【００２５】
下端受具２２は、図１及び図２（ａ）に示すように、枠部材１０の上方側に向く内周面（下側の横枠部１８の上面）に固定される構造とされ、係合軸状部３７ａを受け入れる軸受凹部２３を設けた構成とされている。本実施形態では、枠部材１０の上方側に向く内周面における壁幅方向両側端部近傍部位のそれぞれに、互いに同様の構成とされた下端受具２２，２２を設けている。
これら下端受具２２，２２は、枠部材１０の内周面に沿うように固定される薄板状の固定片部の壁厚方向一方側端部に、上方に向けて開口し、壁幅方向に貫通するように軸受凹部２３，２３を設けた構成とされている。図例では、下端受具２２，２２の固定片部の壁厚方向一方側端部から上方に向けて突出する突片部を壁厚方向に間隔を空けて二箇所に設け、これら突片部間を、軸受凹部２３，２３とした例を示している。また、軸受凹部２３，２３が壁厚方向で枠部材１０の凹段部１２に位置するように下端受具２２，２２を枠部材１０に固定した例を示している。なお、上記した下端保持部材３４の引掛部３７は、下端受具２２，２２に応じた部位のみに設けられたものとしてもよく、下端保持部材３４の全長に亘って設けられたものとしてもよい。
【００２６】
上端受具２４には、上端保持部材４０の引掛部４７がこの上端受具２４に引っ掛けられた状態で、上端保持部材４０の上方側への移動を規制し、係合凹溝４２からのカバー本体３１の上端部の脱離を抑止するストッパー部２６が設けられている。また、この上端受具２４には、上端保持部材４０の引掛部４７が引っ掛けられる受部２７が設けられている。
本実施形態では、ストッパー部２６及び受部２７を、映像表示機器９を受け入れる開口１１の壁幅方向に沿う方向に向く内側面から壁幅方向に突出するように配される構成としている。また、ストッパー部２６を、後記する上端保持部材４０の上方に向く被規制面４６ａに近接して対面するように配される構成としている。
また、本実施形態では、枠部材１０の上側の両隅のそれぞれに一対の上端受具２４，２４を設けた構成としている。また、これら上端受具２４，２４を、枠部材１０の壁幅方向に向く内周面（各縦枠部１７，１７の対向面）にそれぞれ対向状に固定している。また、これら上端受具２４，２４に応じた位置となるように、カバー本体３１の上端側の両隅のそれぞれに引掛部４７，４７を対状に設けた構成としている。なお、これら壁幅方向両側の上端受具２４，２４は、互いに概ね同様の構成であるので、以下では、壁幅方向一方側の上端受具２４を例にとって説明する。
【００２７】
上端受具２４は、図１及び図３に示すように、枠部材１０の壁幅方向に向く内側面に沿うように固定される固定基部２５を備え、この固定基部２５にストッパー部２６及び受部２７を設けた構成とされている。
固定基部２５は、壁幅方向に見て略矩形状とされ、壁幅方向に厚さ方向を沿わせた薄板状とされている。図例では、この固定基部２５の上端を枠部材１０の下方側に向く内周面に当接させて固定した例を示している。
ストッパー部２６は、固定基部２５の下端部の壁厚方向一方側の隅部に設けられている。本実施形態では、このストッパー部２６を、厚さ方向を上下方向に沿わせた薄板状としている。このストッパー部２６の下方側に向く面が後記する上端保持部材４０の上方に向く被規制面４６ａに近接して対面される規制面２６ａを構成する。また、図例では、固定基部２５の下端部に折曲状にストッパー部２６を設けた例を示している。
【００２８】
受部２７は、固定基部２５の上方側部位の壁厚方向途中部位に設けられている。つまり、この受部２７は、ストッパー部２６の上方側で、かつストッパー部２６よりも壁厚方向他方側に位置するように設けられている。本実施形態では、この受部２７を、厚さ方向を壁厚方向に沿わせた薄板状としている。また、図例では、固定基部２５に切起状に受部２７を設けた例を示している。
なお、上端受具２４のストッパー部２６及び受部２７としては、薄板状とされたものに限られず、柱状や筒状等とされたものとしてもよく、その他、種々の変形が可能である。
【００２９】
上端保持部材４０は、これら上端受具２４，２４に応じた位置となるように、カバー本体３１の上端側の両隅のそれぞれに引掛部４７，４７を対状に設けた構成とされている。本実施形態では、上端保持部材４０を、カバー本体３１の壁幅方向に沿う方向の端部の背面からカバー本体３１の厚さ方向に突出するように設けられ、かつストッパー部２６に規制されるベース部４４を備えた構成としている。また、カバー本体３１の壁幅方向に沿う方向の両端部のそれぞれに対状にベース部４４，４４を設けた構成としている。また、上端保持部材４０の引掛部４７，４７を、これらベース部４４，４４に対して壁幅方向に沿う軸４８，４８廻りに回転自在に保持させた構造としている。図例では、カバー本体３１の上端部の背面に沿うように設けられた背面側部位にベース部４４，４４が固定される固定部４１を設けた構成としている。なお、カバー本体３１の壁幅方向に沿う方向の両端部のベース部４４，４４及び引掛部４７，４７は、互いに概ね同様の構成であるので、以下では、壁幅方向一方側の端部のベース部４４及び引掛部４７を例にとって説明する。
【００３０】
ベース部４４は、壁幅方向に厚さ方向を沿わせた薄板状とされている。このベース部４４のカバー本体３１側の端部には、固定部４１にねじ等の止具によって固定される被固定部が設けられている（図３（ａ）参照）。なお、このような態様に代えて、ベース部４４を上端保持部材４０の背面側部位に一体的に設けたような構成としてもよい。
このベース部４４に設けられた上方に向く被規制面４６ａは、引掛部４７が上端受具２４の受部２７に引っ掛けられた状態で、上下方向に見て上端受具２４の規制面２６ａと重なり合う位置に配される構成とされている。
本実施形態では、ベース部４４に、引掛部４７が受部２７に引っ掛けられた状態でストッパー部２６を受け入れるように屈曲状とされ、被規制面４６ａを有した屈曲状片部４６を設けた構成としている。
【００３１】
屈曲状片部４６は、係合軸状部３７ａ廻りに回転させてカバー本体３１を取り付ける際に、ストッパー部２６の受け入れが可能なように形成されている。本実施形態では、カバー本体３１が取り付けられた状態で、屈曲状片部４６によって形成されるストッパー部２６を受け入れる凹所が壁厚方向他方側に向けて開口するように屈曲状片部４６を設けた構成としている。また、屈曲状片部４６によって形成されるストッパー部２６を受け入れる凹所を壁幅方向に貫通するように設けた構成としている。この屈曲状片部４６は、ベース部４４から垂れ下がるように形成された垂下片部の下端部から壁厚方向他方側に向けて突出し、かつ厚さ方向を上下方向に沿わせた薄板状の突出片部を設けた構成とされ、この突出片部の上面が被規制面４６ａを構成する。なお、このような態様に代えて、屈曲状片部４６によって形成されるストッパー部２６を受け入れる凹所が壁幅方向に向けて開口するように突出片部を壁幅方向に突出させたような構成としてもよい。
また、この屈曲状片部４６は、ベース部４４のカバー本体３１側の端部における下端部に設けられている。
【００３２】
図１に示すように、カバー本体３１の上端部が上端保持部材４０の係合凹溝４２の溝底に当接するように嵌め入れられた正常状態では、この屈曲状片部４６の被規制面４６ａとストッパー部２６の規制面２６ａとの間に隙間が形成される。この正常状態における屈曲状片部４６の被規制面４６ａとストッパー部２６の規制面２６ａとの隙間の上下寸法Ｄ２は、上記した覆い片部４３ａの上下寸法Ｄ１よりも小とされている。つまり、本実施形態では、規制面２６ａと被規制面４６ａとの隙間の上下寸法Ｄ２を、係合凹溝４２の溝深さ寸法よりも小としている。これにより、例えば、図３（ｂ）に示すように、カバー本体３１に対して上端保持部材４０が上方側に移動した場合にも、ベース部４４の被規制面４６ａがストッパー部２６の規制面２６ａに当接し、それ以上の上端保持部材４０の上方側への移動が規制される。つまりは、カバー本体３１の上端部が係合凹溝４２から脱離するよりも前に、ベース部４４の被規制面４６ａがストッパー部２６の規制面２６ａに当接する。この状態では、係合凹溝４２の溝底とカバー本体３１の上端部との間に、正常状態における規制面２６ａと被規制面４６ａとの隙間の上下寸法Ｄ２に応じた隙間が形成されるが、カバー本体３１の上端部の係合凹溝４２への係合は維持された状態となる。これにより、カバー本体３１の上端部の脱落が抑制される。
【００３３】
なお、正常状態における規制面２６ａと被規制面４６ａとの隙間の上下寸法Ｄ２は、覆い片部４３ａの上下寸法Ｄ１よりも小とすればよいが、カバー本体３１を取り付ける際に屈曲状片部４６がストッパー部２６に干渉しないように適宜の寸法としてもよい。例えば、この正常状態における規制面２６ａと被規制面４６ａとの隙間の上下寸法Ｄ２を、０．５ｍｍ〜５ｍｍ程度としてもよい。また、正常状態における規制面２６ａと被規制面４６ａとの隙間の上下寸法Ｄ２は、正常状態における上端保持部材４０の上端面と凹段部１２の下方側に向く段壁面１５との間の上記クリアランスよりも小としてもよい。
また、本実施形態では、正常状態における規制面２６ａと被規制面４６ａとの隙間の上下寸法Ｄ２を、下端保持部材３４の係合軸状部３７ａを受け入れる下端受具２２の軸受凹部２３の深さ寸法（上下寸法）よりも小としている。このような構成とすれば、カバー本体３１が取り付けられた状態で、カバー本体３１が上端保持部材４０及び下端保持部材３４とともに枠部材１０に対して上方側に移動した場合にも、係合軸状部３７ａが軸受凹部２３から外れるようなことを抑制することができる。
【００３４】
また、本実施形態では、ベース部４４に、屈曲状片部４６よりも当該ベース部４４の突出方向先端側に位置するように、かつストッパー部２６に仮保持される仮保持片部４５を設けた構成としている。つまり、本実施形態では、ストッパー部２６を、上端保持部材４０の上方側への移動を規制する機能に加え、上端保持部材４０に設けられた仮保持片部４５を仮保持する機能を有したものとしている。
この仮保持片部４５は、ベース部４４の突出方向先端部となる壁厚方向他方側端部から下方に向けて突出するように設けられている。また、この仮保持片部４５は、受部２７に引掛部４７が引っ掛けられるよりも先にストッパー部２６によって仮保持されるように設けられている。カバー本体３１は、図４（ｂ）に示すように、係合軸状部３７ａを軸受凹部２３に係合させ、仮保持片部４５をストッパー部２６に引っ掛けた状態では、上端側が手前側となるように傾斜した状態で保持され、また、この状態で取り外し可能とされている。
【００３５】
引掛部４７は、ベース部４４に対して壁幅方向に沿う軸としての連結軸４８廻りに回転自在に保持されている。この連結軸４８は、ベース部４４のカバー本体３１側の端部と引掛部４７のカバー本体３１側の端部とを連結するように設けられている。なお、この連結軸４８は、引掛部４７及びベース部４４のうちの一方に設けられた軸受孔に挿通されるように他方に設けられたものとしてもよく、引掛部４７及びベース部４４の両方に設けられた軸受孔に挿通されたものとしてもよい。
また、本実施形態では、引掛部４７を、壁幅方向に厚さ方向を沿わせた薄板状とし、ベース部４４の壁幅方向内方（枠部材１０の開口中心）側に配した構成としている。また、上端保持部材４０に、引掛解除（ロック解除）側に回転された引掛部４７を引掛（ロック）側に付勢する付勢部材４９を設けた構成としている。
【００３６】
また、引掛部４７は、連結軸４８との連結部から壁厚方向他方側に向けて延びるように設けられたアーム状の引掛片部を備えている。この引掛片部は、カバー本体３１の背面に対して略直交状に延びるように配される引掛状態から付勢部材４９の付勢に抗して先端側が下方側に移動するように連結軸４８廻りに回転し、引掛解除状態とされる。
また、この引掛片部の先端部には、上端受具２４の受部２７に係止される係止部としての係止爪部４７ａが設けられている。この係止爪部４７ａは、上方に向けて突出するように設けられている。つまり、この係止爪部４７ａと仮保持片部４５とは、上下方向で互いに異なる側に向けて突出するように設けられている。また、この係止爪部４７ａは、壁厚方向一方側に向く面が受部２７に引っ掛けられる係止面とされ、壁厚方向他方側に、受部２７への当接に伴い当該引掛部４７を付勢部材４９の付勢に抗して引掛解除側に回転させる傾斜ガイド面を設けた構成とされている。このような構成とすれば、カバー本体３１を枠部材１０に保持させるように移動させれば、係止爪部４７ａが上端受具２４の受部２７を乗り越えるようにして変位する。また、さらにカバー本体３１を移動させれば、付勢部材４９の付勢によって引掛部４７が引掛側へ回転し、係止爪部４７ａが上端受具２４の受部２７に係止される。図例では、この係止爪部４７ａの傾斜ガイド面を壁厚方向他方側で斜め上方側に向く傾斜面とした例を示している。
【００３７】
また、引掛部４７は、連結軸４８との連結部から上方に向けて延びるように設けられたアーム状の解除操作部４７ｃを備えている。この解除操作部４７ｃは、図１及び図４（ａ）に示すように、カバー本体３１の上端の背面側に位置するように設けられている。また、この解除操作部４７ｃは、上端部（先端部）がカバー本体３１の上端面よりも僅かに下方側に位置するように設けられている。なお、このような態様に代えて、解除操作部４７ｃの先端部がカバー本体３１の上端面よりも僅かに上方側に突出するような構成としてもよい。また、この解除操作部４７ｃは、その先端部が枠部材１０に設けられた切欠状凹所１４に受け入れられる構成とされている。切欠状凹所１４は、枠部材１０の凹段部１２の段底面１３に、カバー本体３１の周縁部との隙間から差し入れられる適宜の治具によって操作される解除操作部４７ｃを受け入れるように切欠状に設けられている。また、図例では、上端受具２４，２４に応じた位置となるように、枠部材１０の内周の上側の両隅のそれぞれに切欠状凹所１４，１４を設けた例を示している。
この解除操作部４７ｃを、カバー本体３１の周縁部と枠部材１０の凹段部１２の段壁面１５との隙間（上記クリアランス）を介して差し入れられた治具によって壁厚方向他方側に向けて押し込むように操作する。これにより、引掛部４７が付勢部材４９の付勢に抗して引掛解除側に回転し、上端受具２４の受部２７と引掛部４７の係止爪部４７ａとの係止が解除される。
【００３８】
また、引掛部４７は、連結軸４８との連結部から下方に向けて突出するように設けられた連結片部の下端部に、付勢部材４９の一端部が連結される連結部４７ｂを設けた構成とされている。ベース部４４の突出方向先端部となる壁厚方向他方側の端部には、付勢部材４９の他端部が連結される連結部４４ｂが設けられている。これら引掛部４７の連結部４７ｂとベース部４４の連結部４４ｂとは、壁厚方向に間隔を空けて設けられている。
付勢部材４９は、引掛部４７が引掛側に回転するように、引掛部４７の連結片部を壁厚方向他方側となるベース部４４の連結部４４ｂ側に向けて引っ張るように付勢する引張コイルばねとされている。なお、付勢部材４９としては、引張コイルばねに限られず、他のばね部材を採用するようにしてもよい。この場合は、引掛部４７やベース部４４を、必要に応じて適宜、変形するようにしてもよい。また、ベース部４４の適所には、引掛状態とされた引掛部４７の更なる引掛側への回転を規制する規制片部が設けられている。この規制片部は、引掛状態で長手方向を略水平方向に沿わせて配される引掛部４７の引掛片部の先端側の上方側への移動を規制するように設けられている。図例では、この規制片部を、引掛部４７の連結片部の壁厚方向他方側端面に当接するように設けた例を示している。
また、上端保持部材４０及び下端保持部材３４や、枠部材１０側の上下の受具２４，２２、上記した柱状体１９や上下の機器保持部材２０，２１は、硬質の合成樹脂系材料や金属系材料から形成されたものとしてもよい。
【００３９】
上記のような構成とされたカバー装置３０を枠部材１０に取り付ける際には、カバー本体３１の上端側が手前側となるように傾斜させた状態で、下端保持部材３４の係合軸状部３７ａを、下端受具２２の軸受凹部２３に引っ掛けるようにして係合させて保持させる（図４（ｂ）参照）。この際、上端受具２４のストッパー部２６にベース部４４の仮保持片部４５を引っ掛けるようにして仮保持させるようにしてもよい。
そして、カバー本体３１を、その上端側を壁厚方向他方側となる奥側に移動させるように係合軸状部３７ａ廻りに回転させる。これにより、上述のように、上端側の上端保持部材４０の引掛部４７が上端受具２４の受部２７に引っ掛けられ、図１に示すように、カバー本体３１の上端側の保持がなされる。
【００４０】
一方、カバー装置３０を枠部材１０から取り外す際には、図４（ａ）に示すように、引掛部４７の解除操作部４７ｃを治具によって操作して受部２７に対する係止を解除させる。これにより、図４（ｂ）に示すように、カバー本体３１は、その自重によって上端側が壁厚方向一方側に移動するように係合軸状部３７ａ廻りに回転する。この際、上端受具２４のストッパー部２６にベース部４４の仮保持片部４５が引っ掛けられ、カバー本体３１が傾斜した状態で仮保持される。
そして、カバー本体３１を斜め手前上方側に持ち上げるようにして下端受具２２の軸受凹部２３に対する係合軸状部３７ａの係合を解除させることで、取り外すことができる。
【００４１】
また、上記構成とされた映像表示機器取付装置１は、例えば、以下のようにして施工するようにしてもよい。
まず、図２（ａ）に示すように、壁下地２，３によって区画された開口部に、枠部材１０を嵌め入れるようにして固定する。また、枠部材１０に、上下の機器保持部材２０，２１及び上下の受具２４，２２を取り付ける。そして、背面側に柱状体１９が取り付けられた映像表示機器９を、上下の機器保持部材２０，２１に保持させる。
また、枠部材１０を囲むように、壁下地２，４ｂの壁厚方向一方側面に壁下地ボード５を固定し、壁下地２，４ａの壁厚方向他方側面に壁下地ボード７を固定する。そして、これら壁下地ボード５，７の表面５ａ，７ａに、図１に示すように、表面化粧材６，８を貼着する。また、上述のように、カバー本体３１を、上端受具２４及び下端受具２２に保持させるようにしてもよい。
なお、上記施工手順は、一例に過ぎず、各部材の機能を阻害しない限りにおいて別手順で行うようにしてもよい。
【００４２】
本実施形態に係るカバー装置３０及びこれを備えた映像表示機器取付装置１は、上述のような構成としたことで、壁に埋込状に配される映像表示機器９の表面側を見栄え良く覆いながらも、カバー本体３１を安定的に保持することができる。
つまり、壁に埋め込まれるように配される映像表示機器９の表面側を覆うように配されるカバー本体３１を備えた構成としている。従って、映像表示機器９の表面側をカバー本体３１によって見栄え良く覆うことができる。
また、カバー本体３１の上端部の表面側縁部を覆うようにカバー本体３１の上端部を受け入れる係合凹溝４２が設けられ、かつ壁側に設けられた受具（上端受具）２４に引っ掛けられる引掛部４７を有した上端保持部材４０を備えた構成としている。従って、上端受具２４に引っ掛けられる引掛部４７を有した上端保持部材４０を、カバー本体３１にねじ等の止具の挿通孔を設けて固定するようなものと比べて、カバー本体３１の表面側に露出する部位（覆い片部４３ａ）を効果的に小さくすることができる。つまりは、カバー本体３１の上端部の表面側縁部を覆う覆い片部４３ａの上下寸法Ｄ１を効果的に小さくすることができ、見栄えを向上させることができる。
【００４３】
また、上端受具２４に、引掛部４７が上端受具２４に引っ掛けられた状態で、上端保持部材４０の上方側への移動を規制し、係合凹溝４２からのカバー本体３１の上端部の脱離を抑止するストッパー部２６を設けている。従って、カバー本体３１の上端側が壁側から意図せずに脱落するようなことを抑止することができる。つまり、上記のような係合凹溝４２を設けた上端保持部材４０をカバー本体３１に固定するには、機械的に固定し難く、圧入や接着等によって固定することが考えられる。この場合、加工誤差や経年劣化等によって、カバー本体３１に対して上端保持部材４０が上方側に移動するようなことが考えられる。例えば、カバー本体３１の上方側の壁（枠部材１０）等によって上端保持部材４０の上方側への移動を規制することも考えられるが、カバー本体３１を取り付ける際のクリアランスの必要性や加工誤差等が生じ易くなることから、壁（枠部材１０）側では規制し難いことが考えられる。本実施形態によれば、このような上端保持部材４０の上方側への移動による係合凹溝４２からのカバー本体３１の上端部の脱離をストッパー部２６によって抑止することができる。つまりは、カバー本体３１の上端部の表面側縁部を覆う覆い片部４３ａの上下寸法Ｄ１を小さくすることが可能でありながらも、カバー本体３１の上端側の壁側からの脱落を抑止することができる。また、引掛部４７が引っ掛けられる上端受具２４にストッパー部２６を設けているので、壁（枠部材１０）等によって上端保持部材４０の移動を規制するものとした場合と比べて、位置調整等を比較的に容易にでき、上端保持部材４０の上方側への移動を効果的に規制することができる。
【００４４】
また、本実施形態では、上端受具２４を、映像表示機器９を受け入れる開口１１の壁幅方向に沿う方向に向く内側面から壁幅方向に突出するように配され、引掛部４７が引っ掛けられる受部２７を備えた構成としている。従って、上端受具２４を開口１１の内側面に沿わせて位置調整することで、ストッパー部２６の上下の位置調整を容易に行うことができ、上端保持部材４０の上方側への移動による係合凹溝４２からのカバー本体３１の上端部の脱離をより効果的に抑止することができる。
また、カバー本体３１の厚さ方向に突出するように設けられたベース部４４に対して壁幅方向に沿う軸（連結軸）４８廻りに回転自在に引掛部４７を保持させた構造としている。従って、上端保持部材４０に固定的に引掛部４７を設けたようなものと比べて、カバー本体３１を取り付ける際のクリアランスを小さくすることができ、見栄えを向上させることができる。また、このように引掛部４７を連結軸４８廻りに回転自在とした場合には、受部２７によって上端保持部材４０の上方側への移動を規制することは困難となるが、ストッパー部２６によってベース部４４を規制することができる。
【００４５】
また、本実施形態では、上端受具２４のストッパー部２６を、壁幅方向に突出するように、かつベース部４４の上方に向く被規制面４６ａに近接して対面するように配されるものとしている。従って、カバー本体３１に対して上端保持部材４０が上方側に移動すれば、ベース部４４の被規制面４６ａが上端受具２４のストッパー部２６に当接する。これにより、上端保持部材４０の上方側への移動による係合凹溝４２からのカバー本体３１の上端部の脱離を効果的に抑止することができる。
【００４６】
また、本実施形態では、ベース部４４に、引掛部４７が受部２７に引っ掛けられた状態でストッパー部２６を受け入れるように屈曲状とされ、被規制面４６ａを有した屈曲状片部４６を設けている。従って、この屈曲状片部４６の上方に向く被規制面４６ａがストッパー部２６に当接することで、係合凹溝４２からのカバー本体３１の上端部の脱離を効果的に抑止することができる。
また、ベース部４４に、この屈曲状片部４６よりもベース部４４の突出方向先端に位置するように、かつストッパー部２６に仮保持される仮保持片部４５を設けている。従って、カバー本体３１を取り付ける際に、仮保持片部４５をストッパー部２６に引掛けるようにして仮保持させることができる。また、引掛部４７が引掛解除状態とされた場合にも、仮保持片部４５がストッパー部２６に仮保持され、カバー本体３１の上端側の脱落を抑制することができる。つまりは、上端受具２４のストッパー部２６が、上端保持部材４０の上方側への移動を規制する機能とカバー本体３１の上端側を仮保持する機能とを兼ね備えたものとなり、これらを個別に設けたものと比べて、上端受具２４の構造の簡略化を図ることができる。
【００４７】
また、本実施形態では、カバー本体３１を、下端側が係合軸状部３７ａ廻りに回転自在に下端受具２２に保持され、上端保持部材４０が上端受具２４に着脱自在に保持される構成としている。従って、カバー本体３１の上端保持部材４０を上端受具２４から脱離させれば、カバー本体３１を、容易に下端側の係合軸状部３７ａ廻りに回転させたり、カバー本体３１を取り外したりして映像表示機器９を受け入れる開口１１を開放させることができる。これにより、例えば、大判な下地ボードを開閉させたり、それに伴い壁クロスや種々の仕上材の再施工が必要となるようなものと比べて、映像表示機器９のメンテナンスや交換を容易に行うことができる。
【００４８】
また、本実施形態では、映像表示機器９を受け入れる開口１１を区画し、壁下地２，３に固定される枠部材１０に、映像表示機器９を保持する機器保持部材２０，２１を設けた構成としている。また、枠部材１０に、カバー本体３１の上端保持部材４０及び下端保持部材３４を保持する上端受具２４及び下端受具２２を設けた構成としている。従って、映像表示機器９を埋込状に壁に配設することができる。また、映像表示機器９及びカバー本体３１を枠部材１０に対して保持させることができるので、大判の壁材自体を取付装置としたようなものと比べて、小型化が図れ、取扱性や施工性を向上させることができる。
【００４９】
次に、本発明の他の実施形態に係るカバー装置及びこれを備えた映像表示機器取付装置の一例について図面を参照して説明する。
図５及び図６は、第２実施形態に係るカバー装置及びこれを備えた映像表示機器取付装置の一例を模式的に示す図である。
なお、上記した第１実施形態との相違点について主に説明し、同様の構成については、同一符号を付し、その説明を省略または簡略に説明する。
【００５０】
本実施形態に係るカバー装置３０Ａ及び映像表示機器取付装置１Ａは、図５及び図６に示すように、係合凹溝４２からのカバー本体３１の上端部の脱離を抑止するストッパー部２８の構成が上記第１実施形態に係るカバー装置３０とは主に異なる。
本実施形態では、仮保持片部４５を仮保持する上記第１実施形態に係るストッパー部２６と同様な仮保持受部２６Ａとは別に、ストッパー部２８を設けた構成としている。また、ストッパー部２８を、上記第１実施形態と同様、映像表示機器９を受け入れる開口１１の壁幅方向に沿う方向に向く内側面から壁幅方向に突出するように、かつ上端保持部材４０Ａの上方に向く被規制面４４Ａａに近接して対面するように配される構成としている。
【００５１】
また、このストッパー部２８を、上端受具２４Ａの固定基部２５Ａの壁厚方向他方側の端部に設けている。また、ストッパー部２８を、上下方向で受部２７と仮保持受部２６Ａとの間に位置するように設けている。また、このストッパー部２８を、厚さ方向を上下方向に沿わせた薄板状としている。このストッパー部２８の下方側に向く面が後記する上端保持部材４０Ａの上方に向く被規制面４４Ａａに近接して対面される規制面２８ａを構成する。また、図例では、固定基部２５Ａに折曲状にストッパー部２８を設けた例を示している。また、図例では、上端保持部材４０Ａの引掛部４７を上端受具２４Ａの受部２７に引っ掛けた状態で、壁幅方向に見て、引掛部４７の引掛片部の先端部の下方側に近接した位置となるようにストッパー部２８を設けた例を示している。また、このストッパー部２８は、引掛解除側に回転する引掛部４７に干渉しないように設けられている。
上端保持部材４０Ａは、本実施形態では、ベース部４４Ａに上記のような屈曲状片部４６を設けずに、ベース部４４Ａの突出方向先端側部位の上面を、被規制面４４Ａａとした構成とされている。カバー本体３１の上端部が上端保持部材４０Ａの係合凹溝４２の溝底に当接するように嵌め入れられた正常状態における規制面２８ａと被規制面４４Ａａとの隙間の上下寸法Ｄ２は、上記第１実施形態と同様、覆い片部４３ａの上下寸法Ｄ１よりも小とされている。この正常状態における規制面２８ａと被規制面４４Ａａとの隙間の上下寸法Ｄ２は、上記第１実施形態と同様の観点から適宜、設定するようにしてもよい。
【００５２】
上記のような構成により、カバー本体３１に対して上端保持部材４０Ａが上方側に移動した場合にも、図６（ｂ）に示すように、ベース部４４Ａの被規制面４４Ａａがストッパー部２８の規制面２８ａに当接し、それ以上の上端保持部材４０Ａの上方側への移動が規制される。
本実施形態に係るカバー装置３０Ａ及び映像表示機器取付装置１Ａにおいても、上記第１実施形態と概ね同様の効果を奏する。
また、本実施形態では、ベース部４４Ａに屈曲状片部を設けずに、ベース部４４Ａの突出方向先端側部位の上面を被規制面４４Ａａとしているので、上記第１実施形態と比べて、ベース部４４Ａの構造の簡略化を図ることができる。
【００５３】
なお、上記各実施形態では、カバー本体３１の下端保持部材３４に係合軸状部３７ａを設け、下端受具２２に軸受凹部２３を設けた例を示しているが、下端保持部材３４に軸受凹部を設け、下端受具２２に軸部を設けた構成としてもよい。また、カバー本体３１の下端側を、枠部材１０に設けられる下端受具２２に対して着脱自在とした態様に代えて、着脱不能としてもよい。
また、カバー本体３１の下端側を係合軸状部３７ａ廻りに回転自在とした態様に代えて、カバー本体３１を壁厚方向に移動させることで、下端保持部材３４の引掛部３７が下端受具２２に引っ掛けられるような構成とされたものとしてもよい。この場合は、上端側と同様、下端保持部材３４を、引掛部３７を壁幅方向に沿う軸廻りに回転自在に保持するベース部を備えた構成とし、下端受具２２を適宜、変形するようにしてもよい。
【００５４】
また、上記各実施形態では、上端受具２４，２４Ａのストッパー部２６，２８を、壁幅方向に突出するように配されるものとした例を示しているが、このような態様に限られない。例えば、開口１１の下方側に向く内周面から下方側に向けて突出するようにストッパー部２６，２８を設けたような構成としてもよい。この場合は、上端受具２４，２４Ａを、開口１１の下方側に向く内周面に固定されるものとしてもよい。
また、上記各実施形態では、引掛部４７を、ベース部４４，４４Ａに対して壁幅方向に沿う軸４８廻りに回転自在に保持させた構成としているが、このような態様に限られず、伸縮（スライド）自在とされたようなものとしてもよい。この場合は、上端受具２４，２４Ａの態様を適宜、変更するようにしてもよい。また、引掛部４７を、上端受具２４，２４Ａに着脱自在に引っ掛けられるものとした態様に代えて、上端受具２４，２４Ａに着脱不能に引っ掛けられるものとしてもよい。カバー本体３１の上端部に設けられる上端保持部材４０，４０Ａの引掛部４７及びこれが引っ掛けられる上端受具２４，２４Ａとしては、その他、種々の変形が可能である。
【００５５】
また、上記各実施形態では、上端保持部材４０，４０Ａを、カバー本体３１の上端部の壁幅方向の略全体に亘って設けた構成としているが、このような態様に限られない。例えば、カバー本体３１の壁幅方向両端部のみに上端保持部材４０，４０Ａを設けた態様としてもよい。
また、上端保持部材４０，４０Ａの被規制面４６ａ，４４Ａａは、上記した位置に限られず、ベース部４４，４４Ａの他の位置に設けるようにしてもよく、さらには、上端保持部材４０，４０Ａの他の部位に設けるようにしてもよい。
また、上記各実施形態では、各実施形態に係るカバー装置３０，３０Ａを、枠部材１０や機器保持部材２０，２１を備えた映像表示機器取付装置１，１Ａに設けた例を示しているが、このような態様に限られない。これら枠部材１０や機器保持部材２０，２１のうちのいずれかが適宜、施工現場において手配されたものとしてもよい。また、カバー本体３１を保持する上端受具２４，２４Ａ及び下端受具２２としては、枠部材１０に設けられるものに限られず、壁側の他の部位に設けられるものとしてもよい。
【符号の説明】
【００５６】
１，１Ａ      映像表示機器取付装置
１０          枠部材
１１          開口
２４，２４Ａ  上端受具（受具）
２６          ストッパー部
２７          受部
２８          ストッパー部
３０，３０Ａ  カバー装置
３１          カバー本体
４０，４０Ａ  上端保持部材
４２          係合凹溝
４４，４４Ａ  ベース部
４４Ａａ      被規制面
４５          仮保持片部
４６          屈曲状片部
４６ａ        被規制面
４７          引掛部
４８          連結軸（壁幅方向に沿う軸）
２，３        壁下地
９            映像表示機器
【図１】
0006432885.tif 000002
【図２】
0006432885.tif 000003
【図３】
0006432885.tif 000004
【図４】
0006432885.tif 000005
【図５】
0006432885.tif 000006
【図６】
0006432885.tif 000007